(57)【要約】【課題】痴漢行為を疑われた場合に、痴漢行為を行っていないことを客観的に示す証拠を取得し、第三者に提供可能にする、痴漢冤罪防止手袋、及び当該痴漢冤罪防止手袋を含む痴漢冤罪防止セットを提供する。【解決手段】周囲を撮影するカメラ３が設けられており、カメラ３のレンズ３１は、痴漢冤罪防止手袋１の手のひら側から外部に露出している。そして、カメラ３は、被写体とレンズ３１との距離が所定の範囲にある被写体しか、焦点を合わせて撮影できない構成とした。【選択図】図１
2019183312.tif 000002
【特許請求の範囲】
【請求項１】
周囲を撮影するカメラが設けられており、
当該カメラのレンズは、手袋の手のひら側から外部に露出していることを特徴とする、痴漢冤罪防止手袋。
【請求項２】
前記カメラが、被写体と前記レンズとの距離が所定の範囲にある被写体しか、焦点を合わせて撮影できないことを特徴とする、請求項１に記載の痴漢冤罪防止手袋。
【請求項３】
前記カメラが、撮影データを、自身に格納されている複数の記憶媒体に夫々記憶することを特徴とする、請求項１又は２に記載の痴漢冤罪防止手袋。
【請求項４】
前記カメラが、撮影データを、自身に格納されている記憶媒体に記憶すると共に外部に出力することを特徴とする、請求項１又は２に記載の痴漢冤罪防止手袋。
【請求項５】
請求項１〜４のいずれかに記載の痴漢冤罪防止手袋と、
手のひら、手の甲、及び各指を含む手を包むことが可能なビニール袋を備えたことを特徴とする、痴漢冤罪防止セット。
【発明の詳細な説明】
【技術分野】
【０００１】
本発明は、痴漢行為を疑われた場合に、痴漢行為を行っていないことを客観的に示す証拠を取得し、第三者に提供可能にする、痴漢冤罪防止手袋、及び当該痴漢冤罪防止手袋を含む痴漢冤罪防止セットに関する。
【背景技術】
【０００２】
従来、電車内やバスの車内で、実際には痴漢行為を行っていなくても、被害者、あるいは被害を受けたと誤解している者から、痴漢行為を行ったと疑われ、駅の事務室や警察に連行される危険性がある。
【０００３】
このように、痴漢行為を疑われた場合、痴漢行為を疑われた者（＝痴漢の被疑者）は、痴漢行為を行っていないことの立証が難しい。
【０００４】
なぜなら、被疑者自身が、痴漢行為を行っていないことを客観的に示す証拠を持っていないのが通常であるからである。また、被疑者が痴漢行為を行っていないことを証言してくれる目撃者を見つけるのは難しいからである。また、被害者が痴漢行為を受けた際の再現実験を行った場合でも、被疑者が痴漢行為を行っていないことを明確に示すことは難しいからである。
【０００５】
ところで特許文献１では、胸の位置から両手を下ろせないように、手の動きを規制するベルトの構成が開示されている。また、特許文献２では、手の指を曲げさせ、その状態を強制的に保持させる保持具の構成が開示されている。
【先行技術文献】
【特許文献】
【０００６】
【特許文献１】特開２００９−２１９８３９号公報
【特許文献２】特開２０１１−１６７３号公報
【発明の概要】
【発明が解決しようとする課題】
【０００７】
しかしながら、上記特許文献１及び２では、ベルトや保持具を使用することで、痴漢行為を疑われないように、使用者の動作の一部を規制する構成である。つまり、そもそも痴漢行為を疑われないようにするためのものである。痴漢行為を疑われた場合に、痴漢行為を行っていないことを客観的に示す証拠を取得し、第三者に提供可能にするものではない。
【０００８】
そこで本発明は、上記問題点に対処するため、痴漢行為を疑われた場合に、痴漢行為を行っていないことを客観的に示す証拠を取得し、第三者に提供可能にする、痴漢冤罪防止手袋、及び当該痴漢冤罪防止手袋を含む痴漢冤罪防止セットを提供することを目的とする。
【課題を解決するための手段】
【０００９】
前記目的を達成するため、請求項１に係る発明は、
周囲を撮影するカメラが設けられており、
当該カメラのレンズは、手袋の手のひら側から外部に露出している、痴漢冤罪防止手袋とした。
【００１０】
また、請求項２に係る発明は、
前記カメラが、被写体と前記レンズとの距離が所定の範囲にある被写体しか、焦点を合わせて撮影できない、請求項１に記載の痴漢冤罪防止手袋とした。
【００１１】
また、請求項３に係る発明は、
前記カメラが、撮影データを、自身に格納されている複数の記憶媒体に夫々記憶する、請求項１又は２に記載の痴漢冤罪防止手袋とした。
【００１２】
また、請求項４に係る発明は、
前記カメラが、撮影データを、自身に格納されている記憶媒体に記憶すると共に外部に出力する、請求項１又は２に記載の痴漢冤罪防止手袋とした。
【００１３】
また、請求項５に係る発明は、
請求項１〜４のいずれかに記載の痴漢冤罪防止手袋と、
手のひら、手の甲、及び各指を含む手を包むことが可能なビニール袋を備えた、痴漢冤罪防止セットとした。
【発明の効果】
【００１４】
本発明によれば、痴漢行為を疑われた痴漢の被疑者が、痴漢行為を行っていないことを客観的に示す証拠を取得し、第三者に提供することができる。そして、取得した客観的な証拠によって、疑われた痴漢行為を晴らすことができて不起訴となり、結果として冤罪を防止することができる。
【図面の簡単な説明】
【００１５】
【図１】本実施の形態例の痴漢冤罪防止セットに係る、痴漢冤罪防止手袋の手のひら側の全体的な構成を示した図である。
【図２】本実施の形態例の痴漢冤罪防止セットに係る、痴漢冤罪防止手袋の手の甲側の全体的な構成を示した図である。
【図３】本実施の形態例の痴漢冤罪防止セットに係る、痴漢冤罪防止手袋の袋を閉じた状態を示す縦断面図である。
【図４】本実施の形態例の痴漢冤罪防止セットに係る、痴漢冤罪防止手袋の袋を開いた状態を示す縦断面図である。
【図５】本実施の形態例の痴漢冤罪防止セットに係る、痴漢冤罪防止手袋のカメラの全体的な構成を機能的に示したブロック図である。
【発明を実施するための形態】
【００１６】
以下、添付図面を参照して本発明に係る実施の形態例を詳細に説明する。ただし、この実施の形態例に記載されている構成要素はあくまでも例示であり、本発明の範囲をそれらのみに限定する趣旨のものではない。
【００１７】
＜痴漢冤罪防止セットの構成＞
痴漢冤罪防止セットは、痴漢冤罪防止手袋１と、ビニール袋５と、粘着テープ６と、複数枚の名刺７を有している。
【００１８】
＜痴漢冤罪防止手袋１の構成＞
図１は、本実施の形態例の痴漢冤罪防止セットに係る、痴漢冤罪防止手袋１の手のひら側の全体的な構成を示した図であり、図２は、本実施の形態例の痴漢冤罪防止セットに係る、痴漢冤罪防止手袋１の手の甲側の全体的な構成を示した図である。なお、図１及び図２では「右手用」の痴漢冤罪防止手袋１が示されている。「左手用」の痴漢冤罪防止手袋１については、「右手用」と同様の構成であるため、説明を省略する。
【００１９】
痴漢冤罪防止手袋１の材質は、牛革等の天然皮革、羊毛等の天然繊維、ナイロン等の化学繊維、人工・合成皮革のいずれであっても良い。要は、以下に示す痴漢冤罪防止手袋１の構成を実現可能なものであれば、材質は問わない。
【００２０】
痴漢冤罪防止手袋１は、外面に、例えば黒と黄色の縞模様等、目立つ模様が付されている構成としても良い。このように目立つ模様がついていることによって、周囲の人が視認し易く、周囲の人の記憶に残り易くなる。そのため、痴漢行為を疑われた際の、証人を得られやすくなる。
【００２１】
図１に示すように、痴漢冤罪防止手袋１の手のひら側の各指先（＝各指の先端部分）にはそれぞれ、面ファスナー２が貼着・接着される等して、設けられている。面ファスナー２には、いわゆる「オス（＝毛先がかぎ針状に形成されている）」と「メス」（＝毛先が輪状に形成されている）の２種類があるが、面ファスナー２は、「オス」である。そのため、痴漢冤罪防止手袋１を着けた状態で、手のひら側の指先が衣服に触れると、当該衣服の繊維が、当該指先に設けられた面ファスナー２に付着する。
【００２２】
痴漢冤罪防止手袋１の手のひら側の各指先に面ファスナー２のオスが設けられているため、痴漢行為を疑われた場合に、痴漢冤罪防止手袋１をビニール袋５で包んで、粘着テープ６で密封すれば、痴漢行為を行っていないことを客観的に示す証拠とすることができる。すなわち、ビニール袋５と粘着テープ６で密封した痴漢冤罪防止手袋１を警察等に提供して、微物（付着物）検査を行ってもらい、被害者の衣服の繊維が見つからなければ、当該被疑者が痴漢行為を行っていないことの証拠となる。
【００２３】
なお、本実施の形態例では、痴漢冤罪防止手袋１の手のひら側の各指先に面ファスナー２を設ける構成を示したが、この構成に限定されるものではない。例えば、人差し指、中指、薬指の３本の指先に面ファスナー２を設ける構成としても良い。
【００２４】
＜痴漢冤罪防止手袋１のカメラ３を設けるための構成＞
カメラ３は、図３に示すように、痴漢冤罪防止手袋１の手のひら側の略中央の内側に設けられた袋１１に収納される。この袋１１は、手のひら側に開口部１２を有している。そのため、図１及び図３に示すように、カメラ３を袋１１に収納すると、開口部１２を通じて、痴漢冤罪防止手袋１の手のひら側の略中央から、レンズ３１のみが外部に露出する。
【００２５】
なお、本実施の形態例では、痴漢冤罪防止手袋１の手のひら側の略中央部に袋１１を設け、この袋１１にカメラ３を収納することで、開口部１２を通じて、痴漢冤罪防止手袋１の手のひら側の略中央から、レンズ３１のみが外部に露出する構成を示したが、この構成に限定されるものではない。例えば、痴漢冤罪防止手袋１の手のひら側の右端部から、レンズ３１のみが外部に露出する構成としても良い。すなわち、痴漢冤罪防止手袋１の手のひら側の適宜の箇所から、レンズ３１のみが外部に露出する構成であれば良い。
【００２６】
このように、痴漢冤罪防止手袋１の手のひら側から、レンズ３１を外部に露出する構成としたのは、痴漢が被害者に触れようとする場合には、手のひらを被害者に向ける場合がほとんどである思われ、手の甲を被害者に向けて、被害者に触れようとすることはほとんどないと思われる。
【００２７】
そのため、痴漢冤罪防止手袋１の手のひら側から撮影した撮影データに、被害者や被害者の衣服が映っていなければ、当該被疑者が痴漢行為を行っていないことの証拠になる。
【００２８】
また、痴漢冤罪防止手袋１の手のひら側の略中央から、レンズ３１のみが外部に露出する構成とすることによって、痴漢冤罪防止手袋１にカメラ３が設けられていること、また、そのカメラ３で撮影していることを周囲の人々に気づかれにくくなる。
【００２９】
また、袋１１は、図４に示すように、下側の一側１３が開口しており、この下側の一側１３から、袋１１内にカメラ３を収納することができる。そして、袋１１の下部と、それに対応する痴漢冤罪防止手袋１の手のひら側の内側面には、面ファスナー等の係止手段１４が夫々設けられている。そのため、図３に示すように、袋１１内にカメラ３を収納した後に、係止手段１４を接合させることによって、袋１１の開口した下側の一側１３が閉じて、袋１１に収納したカメラ３が袋１１から抜け落ちることなく、袋１１内に保持される。
【００３０】
なお、本実施の形態例では、係止手段１４として面ファスナーを用いる構成を示したが、この構成に限定されるものではなく、例えば、係止手段１４として、ボタンを痴漢冤罪防止手袋１の手のひら側の内側面に縫い付けて、袋１１の下部にこのボタンが貫通可能な貫通孔を設け、ボタンをこの貫通孔に通すことによって、袋１１の開口した下側の一側１３が閉じる構成としても良い。
【００３１】
また通常、カメラ３に撮影を開始させるためには、その前にカメラ３の電源スイッチ（図示省略）と、撮影開始スイッチ（図示省略）を操作する必要がある。本実施の形態例では、痴漢冤罪防止手袋１の手のひら側の略中央から、レンズ３１のみが外部に露出する構成を示した。このような構成の場合には、カメラ３の電源スイッチと、撮影開始スイッチを操作して、カメラ３に撮影を開始させた状態で、当該カメラ３を痴漢冤罪防止手袋１の袋１１内にカメラ３を収納する。あるいは、カメラ３を痴漢冤罪防止手袋１の袋１１内にカメラ３を収納した後に、痴漢冤罪防止手袋１の上から、カメラ３の電源スイッチと、撮影開始スイッチを操作して、カメラ３に撮影を開始させる必要がある。
【００３２】
＜カメラ３の構成＞
カメラ３は、カメラ３の周囲を、動画で撮影可能なビデオカメラである。
カメラ３は、痴漢冤罪防止手袋１に設けやすいように、軽量で薄く、小さいタイプのものが望ましい。図５は、カメラ３の全体的な構成を機能的に示したブロック図である。
【００３３】
図５に示すように、レンズ３１から取り込まれた被写体像、即ち動画は、例えばＣＣＤ（Charge Coupled Device）イメージセンサやＣＭＯＳ（Complementary Metal Oxide Semiconductor）イメージセンサである撮像素子３２の受光面に結像され、光の明暗に基づく電気信号であるアナログ信号に変換される。撮像素子３２によりアナログ信号に変換された撮影データ（＝撮像画像データ）は、Ａ／Ｄ（アナログ−デジタル）変換部３３においてデジタル信号に変換され、信号処理部３４に入力される。信号処理部３４では、Ａ／Ｄ変換部３３において、デジタル信号に変換された撮影データに、例えばガンマ補正、色信号分離あるいはホワイトバランス調整等の処理が施される。
【００３４】
また、ＣＰＵ（Central Processing Unit）等の主制御装置３６には、記憶メディアコントローラ３７を経由して、格納・取り出し可能な（脱着式の）記憶媒体、例えば不揮発性の半導体メモリであるカード媒体３８との間で撮影データの受け渡しを可能とするカードスロット３９が接続されている。なお、カードスロット３９は、複数のカード媒体３８を、格納・取り出し可能な構成が望ましい。また、カード媒体３８としては、例えばmicroＳＤカード（登録商標）と呼ばれる半導体メモリや類似した規格／記憶方式のさまざまな媒体が利用可能である。
【００３５】
なお、主制御装置３６に、記憶メディアコントローラ３７を介して、例えば記憶時の圧縮率（画質）により支配されるが最大で数時間程度の撮影データを保持可能な記憶容量の記憶装置（図示省略）が接続されている構成としても良い。
【００３６】
そして、信号処理部３４から送出された撮影データは、主制御装置３６による制御に従い、画像圧縮・伸長処理部（エンコーダ・デコーダ）３５により圧縮されて、カードスロット３９に格納されているカード媒体３８の記憶領域に記憶される。この場合、撮影データは、複数のカード媒体３８の夫々の記憶領域に重複して記憶される構成が望ましい。撮影データを複数のカード媒体３８に重複して記憶させる構成とすることによって、１つのカード媒体３８を、捜査のために警察等に提出した場合であっても、被疑者自身も同一の撮影データを保持できるからである。
【００３７】
また、主制御装置３６は、ＲＴＣ（リアルタイムクロック）等の計時手段から取得した日時情報（例えば、撮影データの撮影開始日時と、撮影終了日時）を、信号処理部３４から送出された撮影データに関連付けて、カード媒体３８の記憶領域に記憶させる。
【００３８】
また、撮影データに日時情報を関連付けるだけでなく、撮影データに位置情報を関連付ける構成としても良い。以下、詳しく説明する。カメラ３は、ＧＰＳ受信機（図示省略）を有しており、カメラ３はこのＧＰＳ受信機を用いて、自身の位置を定期的に認識している。そのため、主制御装置３６は、信号処理部３４から送出された撮影データを受信すると、当該撮影データに日時情報及び位置情報を関連付けて、カード媒体３８の記憶領域に記憶させる。
【００３９】
また、主制御装置３６は、カードスロット３９に格納されているカード媒体３８の記憶領域の容量が一杯だと認識した場合には、既に記憶されている撮影データのうち、関連付けられている日時情報が古い順に、新たな撮影データに上書きして記憶させる。
【００４０】
なお、画像圧縮・伸長処理部３５では、動画（非静止画）は、MotionＪPEG規格等の、周知の圧縮方式により圧縮される。
【００４１】
また、本実施の形態例では、撮影データをカードスロット３９に格納されているカード媒体３８に記憶させる構成を示したが、この構成に限定されるものではない。例えば、撮影データを外部に出力する構成としても良いし、撮影データをカードスロット３９に格納されているカード媒体３８に記憶させると共に、撮影データを外部に出力する構成としても良い。
【００４２】
このように撮影データを外部に出力する構成とすることによって、被疑者の自宅のパソコンやスマートフォン等の予め設定された外部の情報処理装置においても、同一の撮影データを保持させることができ、便宜である。
【００４３】
なお、主制御装置３６には更に、音声入出力処理部４０が接続されている。そのため、マイク４１を通じて取り込まれた、撮像素子３２により撮像された撮像画像データに対応する、音声や音（非音声）である撮像画像データ以外のデータも、デジタル信号として処理可能である。従って、撮像画像データと同時に取り込まれた音声／非音声は、例えばＷＡＶ，ＡＣ−３あるいは、リニアＰＣＭ等の、周知の記録方式により、撮像画像データと関連付けられて、カードスロット３９に格納されているカード媒体３８の記憶領域に記憶される。
【００４４】
このように、カメラ３が、撮像画像データだけでなく、音声／非音声も併せて、撮影データとして記憶可能な構成であることによって、痴漢行為を疑われた際の被害者の主張及び被疑者の主張も記憶することができる。
【００４５】
＜カメラ３の撮影可能な範囲＞
またカメラ３は、被写体とレンズ３１との距離が所定の範囲にある被写体しか、焦点を合わせて撮影できない構成であることが望ましい。例えば、カメラ３が焦点を合わせて撮影可能な範囲は、レンズ３１と被写体との距離（ワーキングディスタンス）が、５（ｍm）以上５０（mm）以内である。レンズ３１との距離が、５０（mm）を超えた被写体は、焦点を合わせて撮影できず、いわゆる「ピンぼけ」状態で撮影されてしまう。
【００４６】
このような構成を実現するために、例えば、マクロレンズ（単焦点レンズの一種）といった接写専用のレンズ３１を用いても良いし、カメラ３を接写専用に設定しても良い。
【００４７】
更に、レンズ３１にマクロレンズを用いる場合には、絞り（Ｆ値）が小さく、明るいものが望ましい。絞りが小さく、明るいレンズを用いることで、被写界深度が浅くなり（＝焦点が合っているように見える範囲が狭くなる）、被写体前後（被写体の周囲）をボケさせることができる。
【００４８】
このような構成であることによって、「電車内やバスの車内で撮影していけない」という一般的なモラルを保ちながら、痴漢冤罪を防止するという目的を達成することができ、便宜である。
【００４９】
＜ビニール袋５及び粘着テープ６の構成＞
ビニール袋５は、痴漢行為を疑われた場合に、痴漢冤罪防止手袋１を包むためのものであり、粘着テープ６は、痴漢冤罪防止手袋１を包んだビニール袋５を密封する、例えば、セロハンテープ、ビニールテープ、ガムテープである。このビニール袋５及び粘着テープ６は、友人等の同行者が、痴漢行為を疑われた場合に、当該同行者の両手を包んで密封し、微物検査に備えることもでき、便宜である。
【００５０】
＜名刺７の構成＞
名刺７には、被疑者の名前、電話番号・住所・勤務先等の連絡先が記載されている。被害者から痴漢行為を主張された場合に、周囲の人に、証人になってもらう際に配布する。また、逃亡しないことを示すため、警察等に配布する。
【００５１】
＜痴漢冤罪防止セットの使用方法＞
次に、痴漢冤罪防止セットの使用方法について、説明する。電車やバス等に、乗車する際には、その前に、カメラ３の電源スイッチと、撮影開始スイッチを操作して、カメラ３に撮影を開始させた状態で、当該カメラ３を痴漢冤罪防止手袋１の袋１１内にカメラ３を収納する。あるいは、カメラ３を痴漢冤罪防止手袋１の袋１１内にカメラ３を収納した後に、痴漢冤罪防止手袋１の上から、カメラ３の電源スイッチと、撮影開始スイッチを操作して、カメラ３に撮影を開始させる。
【００５２】
電車やバス等の乗車中に、被害者から痴漢行為を疑われ、被害者が被疑者に対し主張を述べ、被疑者も反論した場合には、両者の主張内容が、カメラ３で記録される。
【００５３】
そして、両者の主張が終了したら、被疑者は、痴漢冤罪防止手袋１を脱ぎ、カメラ３を取り出し、脱いだ痴漢冤罪防止手袋１をビニール袋５で包んで、粘着テープ６で密封する。
【００５４】
また、カメラ３のカードスロット３９に格納されている複数のカード媒体３８のうち、１つのカード媒体３８を、密封した痴漢冤罪防止手袋、及び名刺７と共に、警察等に提供する。
【００５５】
なお、上記の痴漢冤罪防止セットの使用方法は、一例であって、例えば、被害者から痴漢行為を疑われたら直ちに、被疑者は、痴漢冤罪防止手袋１を脱ぎ、カメラ３を取り出し、脱いだ痴漢冤罪防止手袋１をビニール袋５で包んで、粘着テープ６で密封しても良い。このようにすれば、両者の主張の際に、被疑者が被害者の衣服の触れてしまう危険性がなくなり、微物検査の精度を高めることができる。
【００５６】
このように痴漢冤罪防止セットを使用することによって、痴漢行為を疑われた痴漢の被疑者が、痴漢行為を行っていないことを客観的に示す証拠を取得し、第三者に提供することができる。そして、取得した客観的な証拠によって、疑われた痴漢行為を晴らすことができて不起訴となり、結果として冤罪を防止することができる。更に、痴漢行為を疑われた被疑者が自ら、痴漢行為を行っていないことを客観的に示す証拠を警察等に提出することができるため、弁護士を雇う必要がなくなり、便宜である。
【符号の説明】
【００５７】
１：痴漢冤罪防止手袋、１１：袋、１２：開口部、１３：下側の一側、１４：係止手段、
２：面ファスナー、
３：カメラ、３１：レンズ、３２：撮像素子、３３：Ａ／Ｄ変換部、３４：信号処理部、３５：画像圧縮・伸長処理部、３６：主制御装置、３７：記憶メディアコントローラ、３８：カード媒体、３９：カードスロット、４０：音声入出力処理部、４１：マイク、
５：ビニール袋、
６：粘着テープ、
７：名刺
【図１】
2019183312.tif 000003
【図２】
2019183312.tif 000004
【図３】
2019183312.tif 000005
【図４】
2019183312.tif 000006
【図５】
2019183312.tif 000007